(57)【要約】【課題】この発明は、番組情報に基づいて番組の内容を解析し、その解析結果に基づいて映像や音声等の視聴状態を自動調整することによって、より番組の内容に適した視聴状態を実現し得るようにした放送受信装置及び放送受信方法を提供することを目的としている。【解決手段】受信した放送信号から番組の映像及び音声信号を復元し、調整データに基づいた調整処理を施して出力する放送受信装置であって、復元されている番組の番組情報を抽出する抽出手段２６ａと、抽出された番組情報の記述事項に基づいて、予め用意された番組内容の種別に対応する複数のステータスにそれぞれポイントを設定する設定手段２６ｂと、設定されたポイントに基づいて所定のステータスを選択し、その選択されたステータスに対応して用意された調整データを調整処理供させる制御手段２１とを備える。【選択図】    図１
2005347788.tif 000002
【特許請求の範囲】
【請求項１】
放送信号を受信する受信手段と、
前記受信手段で受信された放送信号から所定の番組の映像信号及び音声信号を復元する信号処理手段と、
前記信号処理手段で復元された映像信号及び音声信号に、調整データに基づいた調整処理を施して出力する調整処理手段と、
前記信号処理手段で復元されている番組の番組情報を抽出する抽出手段と、
前記抽出手段で抽出された番組情報に記述されている事項に基づいて、予め用意された番組内容の種別に対応する複数のステータスに対してそれぞれポイントを設定する設定手段と、
前記設定手段で設定されたポイントに基づいて前記複数のステータスから所定のステータスを選択し、その選択されたステータスに対応して用意された前記調整データを前記調整処理手段に供給する制御手段とを具備したことを特徴とする放送受信装置。
【請求項２】
前記設定手段は、
複数のキーワードと複数のステータスとをパラメータとし、各ステータスに対して、キーワード毎にステータス値を割り振ったテーブルを記憶する記憶手段と、
前記記憶手段に記憶された複数のキーワードの中から、前記抽出手段で抽出された番組情報に合致するキーワードを検出し、各ステータス毎に、番組情報と合致したキーワードに対応するステータス値を加算したポイントを算出する算出手段とを具備したことを特徴とする請求項１記載の放送受信装置。
【請求項３】
前記設定手段は、
番組のジャンル毎に、複数のキーワードと複数のステータスとをパラメータとし、各ステータスに対して、キーワード毎にステータス値を割り振った複数のテーブルを記憶する記憶手段と、
前記抽出手段で抽出された番組情報から番組のジャンルを判別し、その判別されたジャンルに対応するテーブルを前記記憶手段から読み出す読み出し手段と、
前記読み出し手段で読み出されたテーブルに記述された複数のキーワードの中から、前記抽出手段で抽出された番組情報に合致するキーワードを検出し、各ステータス毎に、番組情報と合致したキーワードに対応するステータス値を加算したポイントを算出する算出手段とを具備したことを特徴とする請求項１記載の放送受信装置。
【請求項４】
前記制御手段は、前記設定手段で設定されたポイントに基づいて前記複数のステータスに順位を付し、順位の一番高いステータスを選択することを特徴とする請求項１記載の放送受信装置。
【請求項５】
前記制御手段は、前記設定手段で設定されたポイントが所定の基準値を実質的に上回っているステータスが複数存在する場合、それらのステータスを操作によって選択させることを特徴とする請求項１記載の放送受信装置。
【請求項６】
前記抽出手段は、前記受信手段で受信された放送信号から番組情報を抽出することを特徴とする請求項１記載の放送受信装置。
【請求項７】
前記抽出手段は、ネットワーク情報網から番組情報を抽出することを特徴とする請求項１記載の放送受信装置。
【請求項８】
放送信号を受信する第１の工程と、
受信された放送信号から所定の番組の映像信号及び音声信号を復元する第２の工程と、
復元された映像信号及び音声信号に、調整データに基づいた調整処理を施して出力する第３の工程と、
復元されている番組の番組情報を抽出する第４の工程と、
抽出された番組情報に記述されている事項に基づいて、予め用意された番組内容の種別に対応する複数のステータスに対してそれぞれポイントを設定する第５の工程と、
設定されたポイントに基づいて前記複数のステータスから所定のステータスを選択し、その選択されたステータスに対応して用意された前記調整データを前記調整処理に供させる第６の工程とを具備したことを特徴とする放送受信方法。
【請求項９】
前記第５の工程は、
複数のキーワードと複数のステータスとをパラメータとし、各ステータスに対して、キーワード毎にステータス値を割り振ったテーブルを記憶する工程と、
記憶されたテーブルに記述された複数のキーワードの中から、前記第４の工程で抽出された番組情報に合致するキーワードを検出し、各ステータス毎に、番組情報と合致したキーワードに対応するステータス値を加算したポイントを算出する工程とを具備したことを特徴とする請求項８記載の放送受信方法。
【請求項１０】
前記第５の工程は、
番組のジャンル毎に、複数のキーワードと複数のステータスとをパラメータとし、各ステータスに対して、キーワード毎にステータス値を割り振った複数のテーブルを記憶部に記憶する工程と、
前記第４の工程で抽出された番組情報から番組のジャンルを判別し、その判別されたジャンルに対応するテーブルを前記記憶部から読み出す工程と、
読み出されたテーブルに記述された複数のキーワードの中から、前記第４の工程で抽出された番組情報に合致するキーワードを検出し、各ステータス毎に、番組情報と合致したキーワードに対応するステータス値を加算したポイントを算出する工程とを具備したことを特徴とする請求項８記載の放送受信方法。
【請求項１１】
前記第６の工程は、前記第５の工程で設定されたポイントに基づいて前記複数のステータスに順位を付し、順位の一番高いステータスを選択することを特徴とする請求項８記載の放送受信方法。
【請求項１２】
前記第６の工程は、前記第５の工程で設定されたポイントが所定の基準値を実質的に上回っているステータスが複数存在する場合、それらのステータスを操作によって選択させることを特徴とする請求項８記載の放送受信方法。
【発明の詳細な説明】
【技術分野】
【０００１】
この発明は、例えばデジタル放送等を受信する放送受信装置及び放送受信方法に係り、特にその視聴する番組の内容に応じて映像や音声等の視聴状態を自動調整可能としたものに関する。
【背景技術】
【０００２】
周知のように、例えばテレビジョン受信機等においては、放送番組を視聴する場合に、その番組の内容に応じて映像や音声等の視聴状態を調整することにより、臨場感を高めることができる。
【０００３】
ところで、視聴する番組の内容に適するように映像や音声等の視聴状態を調整するためには、複数のパラメータを調整して、それらの最も良い組み合わせを探し出す必要があるため、調整作業が煩雑でユーザに大きな負担をかけることになる。
【０００４】
これに対し、特許文献１には、番組のジャンルと音声処理の種類とを対応させて記憶しておき、選局された番組のジャンルを示すデータに基づいて、そのジャンルに対応する音声処理を自動的に行なわせるようにした構成が開示されている。
【０００５】
しかしながら、番組のジャンルだけで音声処理を決定してしまうと、往々にして番組内容に対応していない音声調整が行なわれることがある。例えば、ジャンルが映画である場合、アクション性のない恋愛ものに対して、迫力が増すような重低音補正の施された音声調整が行なわれてしまう可能性がある。
【特許文献１】特開２００１−１１１９７０号公報
【発明の開示】
【発明が解決しようとする課題】
【０００６】
そこで、この発明は上記事情を考慮してなされたもので、番組情報に基づいて番組の内容を解析し、その解析結果に基づいて映像や音声等の視聴状態を自動調整することによって、より番組の内容に適した視聴状態を実現し得るようにした放送受信装置及び放送受信方法を提供することを目的とする。
【課題を解決するための手段】
【０００７】
この発明に係る放送受信装置は、放送信号を受信する受信手段と、受信手段で受信された放送信号から所定の番組の映像信号及び音声信号を復元する信号処理手段と、信号処理手段で復元された映像信号及び音声信号に、調整データに基づいた調整処理を施して出力する調整処理手段と、信号処理手段で復元されている番組の番組情報を抽出する抽出手段と、抽出手段で抽出された番組情報に記述されている事項に基づいて、予め用意された番組内容の種別に対応する複数のステータスに対してそれぞれポイントを設定する設定手段と、設定手段で設定されたポイントに基づいて複数のステータスから所定のステータスを選択し、その選択されたステータスに対応して用意された調整データを調整処理手段に供給する制御手段とを備えるようにしたものである。
【０００８】
また、この発明に係る放送受信方法は、放送信号を受信する第１の工程と、受信された放送信号から所定の番組の映像信号及び音声信号を復元する第２の工程と、復元された映像信号及び音声信号に、調整データに基づいた調整処理を施して出力する第３の工程と、復元されている番組の番組情報を抽出する第４の工程と、抽出された番組情報に記述されている事項に基づいて、予め用意された番組内容の種別に対応する複数のステータスに対してそれぞれポイントを設定する第５の工程と、設定されたポイントに基づいて複数のステータスから所定のステータスを選択し、その選択されたステータスに対応して用意された調整データを調整処理に供させる第６の工程とを備えるようにしたものである。
【発明の効果】
【０００９】
上記した発明によれば、番組情報に記述されている事項に基づいて、予め用意された番組内容の種別に対応する複数のステータスに対してそれぞれポイントを設定し、設定されたポイントに基づいて複数のステータスから所定のステータスを選択し、その選択されたステータスに対応して用意された調整データを映像及び音声の調整処理に供させるようにしたので、ジャンルのみで判別する手法に比して、より番組の内容に適した視聴状態を実現することが可能となる。
【発明を実施するための最良の形態】
【００１０】
以下、この発明の実施の形態について図面を参照して詳細に説明する。図１は、この実施の形態で説明する放送受信装置１１を示している。すなわち、アンテナ１２で受信されたテレビジョン放送信号は、ＴＶ（television）入力端子１３を介してテレビジョン信号処理部１４に供給される。
【００１１】
このテレビジョン信号処理部１４は、チューナ部１４ａと信号処理部１４ｂとを有し、チューナ部１４ａにて、入力されたテレビジョン放送信号から所定のチャンネルの信号を抽出し、その後、信号処理部１４ｂにて、チューナ部１４ａの出力信号をアナログの映像信号と音声信号とに復元している。
【００１２】
そして、この信号処理部１４ｂから出力された映像信号は、映像調整処理部１５に供給される。この映像調整処理部１５は、外部から供給される映像調整データに基づき、入力された映像信号に対して、画質、コントラスト、輝度、色合い等の映像調整処理を施している。その後、映像調整処理部１５で映像調整された映像信号は、映像出力端子１６を介して映像表示部１７に供給されて映像表示される。
【００１３】
また、上記信号処理部１４ｂから出力された音声信号は、音声調整処理部１８に供給される。この音声調整処理部１８は、外部から供給される音声調整データに基づき、入力された音声信号に対して、左右チャンネルのバランス、音場、周波数特性（音質）等の音声調整処理を施している。その後、音声調整処理部１８で音声調整された音声信号は、音声出力端子１９を介してスピーカ２０に供給されて音声再生に供される。
【００１４】
ここで、この放送受信装置１１は、上記した受信動作を含むその全ての動作を制御部２１によって統括的に制御されている。この制御部２１は、ＣＰＵ（Central Processing Unit）等を内蔵しており、操作部２２からの操作情報を受け、または、リモートコントローラ２３から送出された操作情報を受信部２４を介して受信し、その操作内容が反映されるように各部をそれぞれ制御している。
【００１５】
この場合、制御部２１は、メモリ部２５を利用している。すなわち、このメモリ部２５は、主として、制御部２１のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００１６】
また、上記チューナ部１４ａから出力されるテレビジョン放送信号は、番組内容検出部２６に供給される。この番組内容検出部２６は、入力されたテレビジョン放送信号から、そこに重畳されているＥＰＧ（Electronic Program Guide）情報等の番組情報を抽出し、その番組情報に基づいて現在視聴している番組の内容を解析し、その解析結果を制御部２１に出力している。
【００１７】
そして、制御部２１では、入力された解析結果に基づいた映像調整データ及び音声調整データを、映像調整処理部１５及び音声調整処理部１８に出力し、ここに、番組の内容に対応して映像や音声等の視聴状態が自動調整されることになる。
【００１８】
図２は、上記番組内容検出部２６を示している。この番組内容検出部２６では、情報抽出部２６ａにて、チューナ部１４ａより出力されるテレビジョン放送信号から、現在視聴している番組の番組情報を抽出し、検出部２６ｂに出力する。
【００１９】
すると、検出部２６ｂでは、入力された番組情報に基づいて、番組のジャンルを判別するとともに、記憶部２６ｃに予め記憶されている複数のキーワードの中から、番組情報に合致するキーワードを検出する。
【００２０】
具体的に言えば、番組情報には、図３に示すように、番組のジャンル、タイトル、番組概要、出演者等が記述されている。そして、検出部２６ｂでは、入力された番組情報に基づいて、番組のジャンルを判別するとともに、記憶部２６ｃに予め記憶されている複数のキーワードの中から、番組情報に合致するキーワードとして、後述する「アクション」、「シンジケート」、「刑事」、「リチャード」等を検出することができる。
【００２１】
その後、検出部２６ｂは、検出したジャンル及びキーワードと、記憶部２６ｃに予め設定されているステータス値とに基づいて、現在視聴している番組の内容を解析し、その解析結果に対応する番組詳細情報を生成して、上記制御部２１に出力している。
【００２２】
具体的に言えば、上記記憶部２６ｃには、図４（ａ），（ｂ），（ｃ）に示すように、ジャンル毎に、複数のキーワードと、アクション、恋愛、ホラー、ＳＦ、サスペンス、スリル等のように番組内容の主な種別を示す複数のステータスとをパラメータとし、各ステータスに対して、キーワード毎に５段階で重み付けしたステータス値を割り振ったテーブルが記憶されている。
【００２３】
例えば、図４（ａ）に示すように、ジャンルが映画のテーブルでは、アクションのステータスに対して、キーワード「アクション」、「シンジケート」、「刑事」、「ゴースト」、「リチャード」に、それぞれ５，２，３，０，４のステータス値が割り振られている。また、恋愛のステータスに対しては、各キーワードにそれぞれ０，０，０，２，０のステータス値が割り振られている。
【００２４】
そして、上記検出部２６ｂは、現在視聴している番組のジャンルが映画である場合、図４（ａ）に示すテーブルを参照し、そのテーブルに記述されているキーワードの中から、番組情報と合致するキーワード、つまり「アクション」、「シンジケート」、「刑事」、「リチャード」を検出する。
【００２５】
その後、検出部２６ｂは、図５に示すように、各ステータス毎に、番組情報と合致したキーワードに対応するステータス値を加算したポイントを算出する。すなわち、アクションのステータスに対しては、番組情報と合致したキーワード「アクション」、「シンジケート」、「刑事」、「リチャード」に、それぞれ５，２，３，４のステータス値が割り振られているので、それらを加算した１４がポイントとなる。
【００２６】
このようにして、全てのステータスについてポイントが算出されると、上記検出部２６ｂは、ポイントの多い順に順位を付け、順位の一番高いステータス、つまり、図５ではアクションのステータスを、そのジャンル（映画）とともに、現在視聴している番組の内容を解析した番組詳細情報として制御部２１に出力する。
【００２７】
ここで、前記メモリ部２５の不揮発性メモリには、上記記憶部２６ｃに設定されたジャンル毎の各ステータスに対応して、それぞれ映像調整データ及び音声調整データが記憶されている。
【００２８】
このため、制御部２１は、入力された番組詳細情報に対応した映像調整データ及び音声調整データをメモリ部２５から読み出して、映像調整処理部１５及び音声調整処理部１８に出力することにより、現在視聴している番組の内容に適した映像及び音声等の視聴状態を得ることができる。
【００２９】
上記した実施の形態によれば、視聴する番組に対する番組情報から抽出したジャンルとキーワードとに基づいて番組のステータスを判別し、そのステータスに基づいた映像調整処理及び音声調整処理を施すようにしたので、ジャンルのみで判別する手法に比して、より番組の内容に適した視聴状態を実現することが可能となる。
【００３０】
なお、上記した説明では、ポイントの最も多い、つまり、順位の一番高いステータスに対応させて映像及び音声等の視聴状態を自動調整することについて述べたが、例えばポイントが７以上のステータス（図５ではアクションとスリル）をユーザに推奨し、その推奨されたステータスの中からユーザが所定のステータスを選択することも可能である。
【００３１】
この場合、図６に示すように、映像表示部１７の表示画面の一部に、現在、自動視聴補正がオン状態であることを示すメッセージとともに、視聴モードとしてステータスを表示させる。そして、操作部２２またはリモートコントローラ２３の操作により、ステータスを、アクション→スリル→効果なし→アクション→……というように循環して表示させることにより、ユーザが所望のステータスを選択することができる。
【００３２】
図７及び図８は、上記した映像及び音声の自動調整動作をまとめたフローチャートを示している。すなわち、処理が開始（ステップＳ１）され、ステップＳ２で、所定の番組が受信されると、番組内容検出部２６の情報抽出部２６ａが、ステップＳ３で、受信している番組の番組情報を抽出し、検出部２６ｂに出力する。
【００３３】
すると、検出部２６ｂは、ステップＳ４で、入力された番組情報から番組のジャンルを判別し、そのジャンルに対応するテーブルを記憶部２６ｃから読み取る。そして、検出部２６ｂは、ステップＳ５で、読み取ったテーブルに記述されているキーワードの中から、番組情報に合致するキーワードを検出する。
【００３４】
その後、検出部２６ｂは、ステップＳ６で、テーブルから、そこに記述されている全てのステータスに対して、検出されたキーワードに対応するステータス値を読み取り、ステップＳ７で、各ステータス毎に、それぞれ読み取ったステータス値を加算してポイントを算出し、ポイントの多い順に順位を付ける。
【００３５】
次に、検出部２６ｂは、ステップＳ８で、所定の基準値以上のポイントを有するステータスが２つ以上存在するか否かを判別する。そして、２つ以上存在すると判断された場合（ＹＥＳ）、検出部２６ｂは、ステップＳ９で、制御部２１を介して、それらのステータスを図６に示したようにユーザに選択可能に表示させる。
【００３６】
そして、ステップＳ１０で、ユーザが所定のステータスを選択すると、制御部２１は、ステップＳ１１で、選択されたステータスに対応する映像調整データ及び音声調整データをメモリ部２５から読み出し、ステップＳ１２で、映像調整処理部１５及び音声調整処理部１８に出力して映像及び音声の調整を行ない、処理を終了（ステップＳ１３）する。
【００３７】
また、上記ステップＳ８で所定の基準値以上のポイントを有するステータスが２つ以上存在しないと判断された場合（ＮＯ）、検出部２６ｂは、ステップＳ１４で、ポイントの最も多い、つまり、順位の一番高いステータスを検出する。
【００３８】
すると、制御部２１は、ステップＳ１５で、選択されたステータスに対応する映像調整データ及び音声調整データをメモリ部２５から読み出し、ステップＳ１２で、映像調整処理部１５及び音声調整処理部１８に出力して映像及び音声の調整を行ない、処理を終了（ステップＳ１３）する。
【００３９】
なお、図４に示したテーブルは、予め標準的な内容のものをメモリ部２５に記憶しておき、この標準テーブルのキーワード、ステータス及びステータス値等を、ユーザが適宜追加、削除、変更することができるようにしても良い。
【００４０】
図９は、上記した実施の形態の変形例を示している。図９において、図１と同一部分に同一符号を付して説明すると、外部のネットワーク情報網から、入力端子２７、ＬＡＮ（Local Area Network）Ｉ／Ｆ（Interface）２８及びＥＰＧ受信部２９を介して、番組情報であるＥＰＧ情報を入力し、番組内容検出部２６に供給するようにしたものである。
【００４１】
このような構成によっても、ネットワーク情報網から取得した番組情報を用いて、上記した実施の形態と同様な動作を行なうことが可能であり、同じ効果を得ることができるものである。
【００４２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００４３】
【図１】この発明の実施の形態を示すもので、放送受信装置を説明するために示すブロック構成図。
【図２】同実施の形態における放送受信装置の番組内容検出部を説明するために示すブロック構成図。
【図３】同実施の形態における番組とともに受信する番組情報の一例を説明するために示す図。
【図４】同実施の形態における放送受信装置の記憶部に記憶されたテーブルの一例を説明するために示す図。
【図５】同実施の形態における各ステータスのポイントと順位を説明するために示すブロック構成図。
【図６】同実施の形態におけるユーザによるステータスの選択について説明するために示す図。
【図７】同実施の形態における放送受信装置の主要な動作の一部を説明するために示すフローチャート。
【図８】同実施の形態における放送受信装置の主要な動作の残部を説明するために示すフローチャート。
【図９】同実施の形態における放送受信装置の変形例を説明するために示すブロック構成図。
【符号の説明】
【００４４】
１１…放送受信装置、１２…アンテナ、１３…ＴＶ入力端子、１４…テレビジョン信号処理部、１５…映像調整処理部、１６…映像出力端子、１７…映像表示部、１８…音声調整処理部、１９…音声出力端子、２０…スピーカ、２１…制御部、２２…操作部、２３…リモートコントローラ、２４…受信部、２５…メモリ部、２６…番組内容検出部、２７…入力端子、２８…ＬＡＮ Ｉ／Ｆ、２９…ＥＰＧ受信部。
【図１】
2005347788.tif 000003
【図２】
2005347788.tif 000004
【図３】
2005347788.tif 000005
【図４】
2005347788.tif 000006
【図５】
2005347788.tif 000007
【図６】
2005347788.tif 000008
【図７】
2005347788.tif 000009
【図８】
2005347788.tif 000010
【図９】
2005347788.tif 000011